(57)【要約】【課題】移動ガイドレールの移動方向の設置範囲を狭めることができ、開口部の周辺における設計の自由度が高くなり、多様化するデザインに対応できるドア装置を提供する。【解決手段】ドア装置１０は、開口部９の上部に設置される固定ガイドレール５と、固定ガイドレール５に懸架されて固定ガイドレール５と平行な方向に移動可能であり、しかも吊戸１を固定ガイドレール５と平行な移動方向Ｈに沿って移動可能に吊している移動ガイドレール２とを備え、吊戸１を開くと吊戸は移動ガイドレール２上を吊戸の幅の約１/２移動するとともに、移動ガイドレール２は固定ガイドレール５上を吊戸の幅の約１/２移動し、吊戸１を閉じると吊戸は移動ガイドレール２上を吊戸の幅の約１/２移動するとともに、移動ガイドレール２は固定ガイドレール５上を吊戸の幅の約１/２移動する。【選択図】図１
2009215817.tif 000002
【特許請求の範囲】
【請求項１】
開口部の上部に設置される固定ガイドレールと、
前記固定ガイドレールに懸架されて前記固定ガイドレールと平行な方向に沿って移動可能であり、しかも前記開口部を閉じている吊戸を前記固定ガイドレールと平行な移動方向に移動可能に吊している移動ガイドレールと、を備え、
前記吊戸を開くと前記吊戸は前記移動ガイドレール上を前記吊戸の幅の約１／２移動するとともに、前記移動ガイドレールは前記固定ガイドレール上を前記吊戸の幅の約１／２移動し、前記吊戸を閉じると前記吊戸は前記移動ガイドレール上を前記吊戸の幅の約１／２移動するとともに、前記移動ガイドレールは前記固定ガイドレール上を前記吊戸の幅の約１／２移動する構成であることを特徴とするドア装置。
【請求項２】
前記吊戸は、前記開口部を開閉する１枚の片開き吊戸であることを特徴とする請求項１に記載のドア装置。
【請求項３】
前記吊戸は、前記開口部を開閉する２枚の両開き吊戸であることを特徴とする請求項１に記載のドア装置。
【請求項４】
前記固定ガイドレールと前記移動ガイドレールは、前記開口部の前記上部であって、前記吊戸により前記開口部を閉じた状態では前記吊戸の幅の範囲に設置されることを特徴とする請求項１〜請求項３のいずれか１つの項に記載のドア装置。
【請求項５】
前記固定ガイドレールの端部には、前記移動ガイドレールの脱落を防止するストッパーが設けられ、前記移動ガイドレールの端部には、前記吊戸の脱落を防止するストッパーが設けられていることを特徴とする請求項４に記載のドア装置。
【発明の詳細な説明】
【技術分野】
【０００１】
本発明は、ドア装置に関し、特に人の出入りあるいは物の出し入れに供される開口部を開閉するための吊戸を吊って水平に移動させるドア装置に関する。
【背景技術】
【０００２】
図９は、１枚の片開き戸の従来構造を示している。図９に示す状態１は吊戸１００が開口部１１０を閉じた状態を示し、状態２は吊戸１００がガイドレール１０３に沿って水平に移動して開口部１１０を開いた状態を示している。
【０００３】
図１０は、２枚の両開き戸の従来構造を示している。図１０に示す状態１は吊戸１０１，１０１が開口部１２０を閉じた状態を示し、状態２は吊戸１０１，１０１がガイドレール１０５に沿って水平方向に互いに反対方向に移動して開口部１２０を開いた状態を示している。この種のドア装置は、特許文献１に開示されている。
【特許文献１】特開２００３−２７８２３号公報
【発明の開示】
【発明が解決しようとする課題】
【０００４】
しかしながら、１枚片開き戸、２枚片開き戸および特許文献１に開示されたドア装置では、１本のガイドレールが吊戸を開く距離分だけの長さを必要とするので、ガイドレールの水平方向の設置範囲が広くなり、吊戸が閉じた状態であっても、ガイドレールが吊戸の側方に飛び出した状態になってしまう。このため、開口部の上部周辺における設計の自由度が低くなり、多様化するデザインに対応できない場合がある。
【０００５】
本発明は上記課題を解決するためになされたものであり、本発明の目的は、ガイドレールの水平方向の設置範囲を狭めることができ、開口部の周辺における設計の自由度が高くなり、多様化するデザインに対応できるドア装置を提供することができることである。
【課題を解決するための手段】
【０００６】
本発明のドア装置の第１態様は、  開口部の上部に設置される固定ガイドレールと、前記固定ガイドレールに懸架されて前記固定ガイドレールと平行な方向に沿って移動可能であり、しかも前記開口部を閉じている吊戸を前記固定ガイドレールと平行な移動方向に移動可能に吊している移動ガイドレールと、を備え、前記吊戸を開くと前記吊戸は前記移動ガイドレール上を前記吊戸の幅の約１／２移動するとともに、前記移動ガイドレールは前記固定ガイドレール上を前記吊戸の幅の約１／２移動し、前記吊戸を閉じると前記吊戸は前記移動ガイドレール上を前記吊戸の幅の約１／２移動するとともに、前記移動ガイドレールは前記固定ガイドレール上を前記吊戸の幅の約１／２移動する構成であることを特徴とする。
【０００７】
本発明のドア装置の第２態様では、前記吊戸は、前記開口部を開閉する１枚の片開き吊戸であることを特徴とする。
【０００８】
本発明のドア装置の第３態様では、前記吊戸は、前記開口部を開閉する２枚の両開き吊戸であることを特徴とする。
【０００９】
本発明のドア装置の第４態様では、前記固定ガイドレールと前記移動ガイドレールは、前記開口部の前記上部であって、前記吊戸により前記開口部を閉じた状態では前記吊戸の幅の範囲に設置されることを特徴とする。
【００１０】
本発明のドア装置の第５態様では、前記固定ガイドレールの端部には、前記移動ガイドレールの脱落を防止するストッパーが設けられ、前記移動ガイドレールの端部には、前記吊戸の脱落を防止するストッパーが設けられていることを特徴とする。
【発明の効果】
【００１１】
本発明によれば、ガイドレールの移動方向の設置範囲を狭めることができ、開口部の周辺における設計の自由度が高くなり、多様化するデザインに対応できるドア装置を提供できる。
【発明を実施するための最良の形態】
【００１２】
以下、本発明の実施の形態について図面を参照して詳細に説明する。
【００１３】
（第１実施形態）
図１は、本発明のドア装置の好ましい第１実施形態の構造例を詳しく示す正面図であり、状態１は吊戸が開口部を閉じた状態を示し、状態２は吊戸が水平に移動して開口部を開いた状態を示している。図２は、図１に示すドア装置の好ましい第１実施形態の動作例を示す図である。
【００１４】
図１と図２に示すドア装置１０は、開口部９の上部に配置されている。ドア装置１０により吊り下げられている吊戸１は、１枚の片開き吊戸である。図１に示すように、ドア装置１０は、開口部９の上部に配置されてこの吊戸１を吊すためのガイドレール装置１１を有している。ガイドレール装置１１は、移動ガイドレール２と、固定ガイドレール５を有している。ガイドレール装置１１の移動ガイドレール２と固定ガイドレール５は、移動方向Ｈに沿って平行に配置されており、固定ガイドレール５が移動ガイドレール２の上部にあり、固定ガイドレール５が移動ガイドレール２に対して間隔を置いて平行に配置されている。
【００１５】
固定ガイドレール５は、開口部９の上部１２において、例えばビス、アンカー、釘、あるいは接着材などを用いて、例えば建屋の壁に取り付けられている。固定ガイドレール５の端部には、ストッパー５Ｓが固定されている。移動ガイドレール２と固定ガイドレール５の移動方向Ｈに沿った長さは、吊戸１の移動方向Ｈに沿った幅Ｗ以下である。
【００１６】
一方、図１に示すように、移動ガイドレール２は、２つのガイドレールハンガー４Ｂ、４Ｃを有しており、ガイドレールハンガー４Ｂ、４Ｃのローラ１４，１５は、固定ガイドレール５上を移動方向Ｈに沿って移動可能になっている。ガイドレールハンガー４Ｂは、移動ガイドレール２の一端部側において垂直方向Ｖに沿って突出して設けられており、ガイドレールハンガー４Ｃは、移動ガイドレール２の中央部において垂直方向Ｖに沿って突出して設けられている。移動ガイドレール２の端部には、ストッパー２Ｓが設けられている。
【００１７】
これにより、移動ガイドレール２は固定ガイドレール５に対してガイドレールハンガー４Ｂ、４Ｃを介して移動方向Ｈに沿って移動可能であり、ストッパー５Ｓはローラ１５が固定ガイドレール５の端部から脱落するのを防止できる。
【００１８】
図２に示すように、固定ガイドレール５には、防塵カバー６が移動方向Ｈに沿って配置されている。図３（Ａ）は、図２における吊り装置１１のＢ−Ｂ線における断面構造例を示している。固定ガイドレール５は、固定アンカー７を用いて建屋の壁１８に対して固定されている。固定ガイドレール５と移動ガイドレール２は、断面矩形形状を有している。  図３（Ｂ）は、図２における吊り装置１１のＢ−Ｂ線における別の断面構造例を示している。固定ガイドレール５は、固定アンカー７を用いて建屋の壁１８に対して固定されている。固定ガイドレール５と移動ガイドレール２は、断面円形形状を有している。
【００１９】
図１に示すように、吊戸１は長方形状の板状部材であり、吊戸１の上端部は、戸ハンガー３Ｂ、３Ｃを有している。戸ハンガー３Ｂは、吊戸１の上端部の一方の端部において垂直方向Ｖに沿って突出して設けられている。戸ハンガー３Ｃは、吊戸１の上端部の中央部において垂直方向Ｖに沿って突出して設けられている。戸ハンガー３Ｂ、３Ｃのローラ１６，１７は、移動ガイドレール２上を移動方向Ｈに沿って移動可能になっている。
【００２０】
これにより、吊戸１は移動ガイドレール２に対して戸ハンガー３Ｂ、３Ｃを介して移動方向Ｈに沿って移動可能であり、ストッパー２Ｓはローラ１７が移動ガイドレール２の端部から脱落するのを防止する。
【００２１】
図１の状態１に示すように、吊戸１で開口部９を閉じると、ガイドレールハンガー４Ｂと戸ハンガー３Ｂは同じ位置にあり、同様にしてガイドレールハンガー４Ｃと戸ハンガー３Ｃも同じ位置にある。ストッパー５Ｓ、２Ｓも同じ位置にある。吊戸１は戸ハンガー３Ｂ、３Ｃを介して移動ガイドレール２に懸架されている。
【００２２】
図２を参照すると、状態１から状態２に示すように吊戸１を開いていくと、移動ガイドレール２が固定ガイドレール５に対して移動方向Ｈに沿って吊戸１とともに繰り出される。吊戸１を開くと、吊戸１は移動ガイドレール２上を吊戸１の幅Ｗの約１／２だけ移動するとともに、移動ガイドレール２は固定ガイドレール５上を吊戸１の幅Ｗの約１／２だけ移動する。
【００２３】
逆に、状態２から状態１に示すように吊戸１を閉める時には、吊戸１を開ける時とは逆方向にスライドさせるが、吊戸１が閉まった状態で吊戸１の幅Ｗと同程度の幅で、ガイドレール装置１１の移動ガイドレール２と固定ガイドレール５が収まる。吊戸１を閉じていく場合には、吊戸１は移動ガイドレール２上を吊戸１の幅Ｗの約１／２分だけ移動するとともに、移動ガイドレール２は固定ガイドレール５上を吊戸１の幅Ｗの約１／２分だけ移動する。
【００２４】
すなわち、吊戸１を懸架している移動ガイドレール２と固定ガイドレール５の長さが、ほぼ同じであり、しかも吊戸を開くと吊戸は移動ガイドレール上を吊戸の幅の１/２移動するとともに、移動ガイドレールは固定ガイドレール上を吊戸の幅の１/２移動し、吊戸を閉じると吊戸は移動ガイドレール上を吊戸の幅の１/２移動するとともに、移動ガイドレールは固定ガイドレール上を吊戸の幅の１/２移動する。このため、吊戸１を閉じた際には、移動ガイドレール２と固定ガイドレール５は吊戸１の幅Ｗと同程度になるように収納できるので、ドア装置１０は、ガイドレールの移動方向Ｈの設置範囲内に収めることができ、開口部９の周辺における設計の自由度が高くなり、多様化するデザインに対応できる。移動ガイドレール２の移動方向Ｈに沿った長さは、吊戸１の移動方向に沿った幅Ｗ以下である。これにより、ガイドレールの移動方向Ｈの設置範囲を狭めることができ、開口部９の周辺における設計の自由度が高くなり、ドア装置１０は多様化するデザインに対応できる。
【００２５】
従来例では、吊り装置のガイドレールは、吊戸の幅の約２倍の移動可能な長さを有していたが、本発明の第１実施形態の吊り装置１０の幅は、吊戸１の幅Ｗと同程度にすることができる。従って、本発明の第１実施形態の吊り装置１０は、従来の吊り装置が占有してきた戸袋側の上部の空間を開放することができ、設計の自由度が高くなる。
【００２６】
（第２実施形態）
次に、本発明における第２実施形態について説明する。なお、以下の各実施形態において、既に説明した構成要素と同一の構成要素には同一の符号を付し、同一の構成要素の説明は重複するので省略する。
【００２７】
図４は、本発明のドア装置の第２実施形態を示しており、図５は、図４のＣ−Ｃ線における断面図である。
【００２８】
図４と図５に示すこの吊り装置１０Ｂが第１実施形態の吊り装置１０と異なるのは、固定ガイドレール５Ｄと、ガイドレールハンガー４Ｄと、移動ガイドレール２Ｄの形状である。図５に示すように、固定ガイドレール５Ｄは、固定アンカー７を用いて建屋の壁１８に対して固定されている。固定ガイドレール５Ｄは、ほぼＣ字型の断面形状を有している。同様にして、移動ガイドレール２ＤもほぼＣ字型の断面形状を有している。
【００２９】
板状のガイドレールハンガー４Ｄはローラ８Ｂを回転可能に支持しており、ガイドレールハンガー４Ｄの下半分は移動ガイドレール２Ｄに対して固定されている。ローラ８Ｃは、吊戸１の戸ハンガー３に対して回転可能に支持されている。
【００３０】
このローラ８Ｂは固定ガイドレール５Ｄ内を移動方向Ｈに沿って移動可能になっており、ローラ８Ｃは移動ガイドレール２Ｄ内を移動方向Ｈに沿って移動可能になっている。防塵カバー６が固定ガイドレール５Ｄに設けられており、ローラ８Ｂに塵埃が入らないようになっている。
【００３１】
（第３実施形態）
次に、本発明における第３実施形態について説明する。図６は、本発明のドア装置の第３実施形態の構造例を示し、図７は、このドア装置の動作例を示している。この吊り装置１０Ｄは、２枚の両開き吊戸１Ｆ，１Ｇの開閉を行うことができる。
【００３２】
図６に示すように、吊り装置１０Ｃは、左側の第１吊戸１Ｆと右側の第２吊戸１Ｇを、互いに反対方向に沿って別々に開閉できる。図７に示すように、吊り装置１０Ｃは、２本の移動ガイドレール２と１本の固定ガイドレール５と１本の防塵カバー６を有している。２本の移動ガイドレール２の合計長さと１本の固定ガイドレール５の全長と１本の防塵カバー６の全長は、第１吊戸１Ｆと第２吊戸１Ｇの合計の幅２Ｗ以下である。すなわち、２本の各移動ガイドレール２の移動方向Ｈに沿った長さは、それぞれ第１吊戸１Ｆの移動方向Ｈに沿った幅Ｗと第２吊戸１Ｇの移動方向Ｈに沿った幅Ｗ以下である。固定ガイドレール５Ｋは２本ではなく１本にして一体化しており、両開きの２枚の吊戸１Ｆ、１Ｇに対応している。図６に示す両開き吊戸に対応する吊り装置１０Ｃは、図１に示す片開き吊戸に対応する吊り装置１０と同じ構造を採用している。吊り装置１０Ｃは、中心線ＣＬを中心として左右対称形状の構造を有しているので、図６では、吊り装置１０Ｃの左側部分の図示は一部省略している。
【００３３】
図７に示すように、状態１から状態２に示すように吊戸１Ｆ、１Ｇを逆方向に開いていくと、移動ガイドレール２，２が固定ガイドレール５Ｋに対して移動方向Ｈに沿って吊戸１Ｆ、１Ｇとともに互いに逆方向に繰り出される。吊戸１Ｆ、１Ｇは移動ガイドレール２，２上を吊戸１Ｆ、１Ｇの幅Ｗの約１／２だけそれぞれ反対方向に移動するとともに、移動ガイドレール２，２は固定ガイドレール５Ｋ上を吊戸１Ｆ、１Ｇの幅Ｗの約１／２だけ互いに反対方向に移動する。
【００３４】
逆に、状態２から状態１に示すように吊戸１Ｆ、１Ｇを閉める時には、吊戸１Ｆ、１Ｇを開ける時とは逆方向にスライドさせるが、吊戸１Ｆ、１Ｇが閉まった状態で吊戸１Ｆ、１Ｇの幅Ｗの範囲内に、ガイドレール装置１１の移動ガイドレール２と固定ガイドレール５Ｋが収まる。吊戸１Ｆ、１Ｇを閉じていく場合には、吊戸１Ｆ、１Ｇは移動ガイドレール２、２上を吊戸１Ｆ、１Ｇの幅Ｗの約１／２分だけ移動するとともに、移動ガイドレール２，２は固定ガイドレール５上を吊戸１Ｆ、１Ｇの幅Ｗの約１／２分だけ移動する。
【００３５】
すなわち、吊戸１Ｆ、１Ｇを懸架している移動ガイドレール２と固定ガイドレール５Ｋの長さが、吊戸１Ｆ、１Ｇを閉じた際には、吊戸１Ｆ、１Ｇの幅Ｗの合計幅２Ｗと同程度になるように収納できるので、ドア装置１０Ｃは、ガイドレールの移動方向Ｈの設置範囲内に収めることができ、開口部９の周辺における設計の自由度が高くなり、多様化するデザインに対応できる。移動ガイドレール２の移動方向Ｈに沿った長さは、各吊戸１Ｆ、１Ｇの移動方向に沿った幅Ｗ以下である。これにより、ガイドレールの移動方向Ｈの設置範囲を狭めることができ、開口部９の周辺における設計の自由度が高くなり、ドア装置１０は多様化するデザインに対応できる。
【００３６】
（第４実施形態）
次に、本発明における第４実施形態について説明する。図８は、本発明のドア装置の第４実施形態を示しており、この吊り装置１０Ｅは、両開き吊戸１Ｆ，１Ｇに対応しているが、図６と図７の第３実施形態と異なるのは、ガイドレールハンガー４Ｄ、４Ｄである。このガイドレールハンガー４Ｄ、４Ｄとしては、例えば図４と図５に示すものと同じガイドレールハンガー４Ｄを用いることができる。
【００３７】
上述した本発明のドア装置では、開口部の上部に設置される固定ガイドレールと、固定ガイドレールに懸架されて固定ガイドレールと平行な方向に沿って移動可能であり、しかも開口部を閉じている吊戸を固定ガイドレールと平行な移動方向に移動可能に吊している移動ガイドレールと、を備え、移動ガイドレールの移動方向に沿った長さは、吊戸の移動方向に沿った幅以下であることを特徴とする。これにより、ガイドレールの移動方向の設置範囲を狭めることができ、開口部の周辺における設計の自由度が高くなりドア装置は多様化するデザインに対応できる。
【００３８】
また、吊戸は、開口部を開閉する１枚の片開き吊戸である。これにより、ドア装置は、１枚の片開き吊戸の開閉にも適用することができる。
【００３９】
吊戸は、開口部を開閉する２枚の両開き吊戸である。これにより、ドア装置は、両開き吊戸の開閉にも適用することができる。
【００４０】
固定ガイドレールと移動ガイドレールは、開口部の上部であって、吊戸により開口部を閉じた状態では吊戸の幅の範囲に設置される。これにより、開口部を塞ぐ吊戸の吊り装置が固定される幅を、吊戸の幅と同程度に収納することができ、従来戸袋部の上部に配置していた吊戸よりもかなり長いガイドレールを固定する必要がなくなり、開口部の上部である戸袋部の上部の設計の自由度を高くすることができる。
【００４１】
ところで、本発明の実施形態においては、吊戸が開口部を閉じた状態では、固定ガイドレールと移動ガイドレールの移動方向Ｈに沿った長さが、吊戸の幅Ｗと同程度に収納されるとは、固定ガイドレールと移動ガイドレールの移動方向Ｈに沿った長さが吊戸の幅Ｗと同じか、固定ガイドレールと移動ガイドレールの移動方向Ｈに沿った長さが吊戸の幅Ｗに比べて短い場合も含む。
【００４２】
また、本発明のドア装置は、通常の吊戸を開閉するのに適用できるだけではなく、エレベータの乗り場戸に適用することができる。
【００４３】
なお、本発明は、上記実施形態そのままに限定されるものではなく、実施段階ではその要旨を逸脱しない範囲で構成要素を変形して具体化できる。吊戸１の幅Ｗの約１／２分だけ移動することは、吊戸の幅Ｗのほぼ１／２あるいは幅Ｗの丁度１／２をも含むことができる。
【００４４】
さらに、上記実施形態に開示されている複数の構成要素を適宜組み合わせることにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００４５】
【図１】本発明のドア装置の好ましい第１実施形態の構造例を詳しく示す正面図である。
【図２】図１に示すドア装置の好ましい第１実施形態の動作例を示す図である。
【図３】図２における吊り装置のＢ−Ｂ線における別の断面構造例を示す図である。
【図４】本発明のドア装置の第２実施形態を示す図である。
【図５】図４おけるＣ−Ｃ線における断面図である。
【図６】本発明のドア装置の第３実施形態の構造例を詳しく示す図である。
【図７】本発明のドア装置の第３実施形態の動作例を示す図である。
【図８】本発明のドア装置の第４実施形態を示す図である。
【図９】従来例を示す図である。
【図１０】別の従来例を示す図である。
【符号の説明】
【００４６】
１，１Ｆ、１Ｇ  吊戸
２，２Ｄ        移動ガイドレール
３Ｂ、３Ｃ      戸ハンガー
４Ｂ、４Ｃ      ガイドレールハンガー
４Ｄ            ガイドレールハンガー
５              固定ガイドレール
６              防塵カバー
９              開口部
１０            ドア装置
１１            ガイドレール装置
１４，１５      ローラ
１６，１７      ローラ
Ｗ              吊戸の幅
【図１】
2009215817.tif 000003
【図２】
2009215817.tif 000004
【図３】
2009215817.tif 000005
【図４】
2009215817.tif 000006
【図５】
2009215817.tif 000007
【図６】
2009215817.tif 000008
【図７】
2009215817.tif 000009
【図８】
2009215817.tif 000010
【図９】
2009215817.tif 000011
【図１０】
2009215817.tif 000012